(57)【要約】【課題】  浴室や浴槽などの条件によってテレビセットのサイズや取付け位置などが制限されることなく、テレビ放送を快適に楽しむことのできるユニットバス。【解決手段】  本発明のユニットバスは、浴槽の長手方向に沿って隣接する壁にほぼ鉛直方向に沿って取り付けられた握りバー（３）と、握りバーの所定の高さ位置において握りバーの長手軸線廻りに回転可能に設けられた薄型のテレビセット（４）とを備えている。テレビセットは、握りバーの長手軸線とほぼ直交する軸線廻りに回転可能に設けられている。また、握りバーの下端の近傍には、テレビセットを遠隔操作するためのリモコン（４ｂ）が着脱自在に取り付けられている。【選択図】  図４
2006180957.tif 000002
【特許請求の範囲】
【請求項１】
浴槽の長手方向に沿って隣接する壁にほぼ鉛直方向に沿って取り付けられた握りバーと、
前記握りバーの所定の高さ位置において前記握りバーの長手軸線廻りに回転可能に設けられた薄型のテレビセットとを備えていることを特徴とするユニットバス。
【請求項２】
前記テレビセットは、前記握りバーの長手軸線とほぼ直交する軸線廻りに回転可能に設けられていることを特徴とする請求項１に記載のユニットバス。
【請求項３】
前記浴槽の短辺部に隣接して洗い場が設けられ、
前記握りバーは前記浴槽の前記短辺部の近傍に配置され、
前記テレビセットの裏面にはミラーが設けられていることを特徴とする請求項１または２に記載のユニットバス。
【請求項４】
前記握りバーの下端の近傍には、前記テレビセットを遠隔操作するためのリモコンが着脱自在に取り付けられていることを特徴とする請求項１乃至３のいずれか１項に記載のユニットバス。
【発明の詳細な説明】
【技術分野】
【０００１】
本発明は、ユニットバスに関し、特にテレビセットを備えたユニットバスに関するものである。
【背景技術】
【０００２】
従来、浴槽に浸かりながらテレビ放送を楽しむことができるように、浴槽の足元側の壁にテレビセットの取り付けられたユニットバスが知られている（たとえば特許文献１を参照）。
【０００３】
【特許文献１】特開２０００−６９３９５号公報
【発明の開示】
【発明が解決しようとする課題】
【０００４】
上述のように、従来のユニットバスでは、浴槽の足元側の壁にテレビセットが固定的に取り付けられている。このため、浴室や浴槽などの条件（レイアウト、サイズなど）によってテレビセットのサイズや取付け位置などが制限されることになり、必ずしもテレビ放送を快適に楽しむことができなかった。
【０００５】
本発明は、前述の課題に鑑みてなされたものであり、浴室や浴槽などの条件によってテレビセットのサイズや取付け位置などが制限されることなく、テレビ放送を快適に楽しむことのできるユニットバスを提供することを目的とする。
【課題を解決するための手段】
【０００６】
前記課題を解決するために、本発明では、浴槽の長手方向に沿って隣接する壁にほぼ鉛直方向に沿って取り付けられた握りバーと、
前記握りバーの所定の高さ位置において前記握りバーの長手軸線廻りに回転可能に設けられた薄型のテレビセットとを備えていることを特徴とするユニットバスを提供する。
【０００７】
本発明の好ましい態様によれば、前記テレビセットは、前記握りバーの長手軸線とほぼ直交する軸線廻りに回転可能に設けられている。また、前記浴槽の短辺部に隣接して洗い場が設けられ、前記握りバーは前記浴槽の前記短辺部の近傍に配置され、前記テレビセットの裏面にはミラーが設けられていることが好ましい。また、前記握りバーの下端の近傍には、前記テレビセットを遠隔操作するためのリモコンが着脱自在に取り付けられていることが好ましい。
【発明の効果】
【０００８】
本発明では、浴槽の長手方向に沿って隣接する壁に、ほぼ鉛直方向に沿って握りバーが取り付けられている。そして、薄型のテレビセットが、握りバーの所定の高さ位置において、握りバーの長手軸線廻りに回転可能に設けられている。
【０００９】
すなわち、本発明では、浴室や浴槽などの条件に依存することなく、壁に対する握りバーの取付け位置（浴槽の長手方向に沿った位置）および握りバーに対するテレビセットの取付け高さ位置を適宜選択することにより、浴槽に浸かってリラックスした姿勢の人の眼から所望の距離だけ間隔を隔てた所望の高さ位置に所望サイズのテレビセットを設置することができる。
【００１０】
また、薄型のテレビセットが握りバーの長手軸線廻りに回転可能に設けられているので、テレビ放送を見ないときには壁にほぼ平行に近接する不使用位置までテレビセットを回転移動させて、テレビセットが浴槽における人の移動などを妨げないようにすることができる。こうして、本発明のユニットバスでは、浴室や浴槽などの条件によってテレビセットのサイズや取付け位置などが制限されることなく、テレビ放送を快適に楽しむことができる。
【００１１】
なお、本発明では、握りバーの長手軸線とほぼ直交する軸線廻りに回転可能にテレビセットを設けることが好ましい。この構成により、浴槽内における姿勢などの個人差に応じてテレビセットの表示画面を上向きや下向きに調整することができ、ひいてはテレビ放送をさらに快適に楽しむことができる。
【００１２】
また、本発明では、浴槽の短辺部（浴槽の足元側の端部）に隣接して洗い場が設けられ、握りバーは浴槽の足元側の端部の近傍に配置され、テレビセットの裏面にはミラーが設けられていることが好ましい。この場合、いわゆる縦形式のユニットバスにおける浴槽から洗い場への移動および洗い場から浴槽への移動を、適切な位置に取り付けられた握りバーに頼って容易に且つ安全に行うことができる。また、浴槽側からテレビ放送を楽しみ、洗い場側からミラーを利用して髭剃りなどを行うことができる。
【００１３】
また、本発明では、テレビセットを遠隔操作するためのリモコンが、握りバーの下端の近傍に着脱自在に取り付けられていることが好ましい。この構成により、浴槽に浸かった状態でリモコンを握りバーから取り外したり握りバーに戻したりすることが容易になり、ひいてはリモコンの所在が不明になるのを未然に防ぐことができる。
【発明を実施するための最良の形態】
【００１４】
本発明の実施形態を、添付図面に基づいて説明する。図１は、本発明の実施形態にかかるユニットバスの構成を概略的に示す上面図である。また、図２は、図１の線Ａ−Ａに沿った側面図である。また、図３は、図１の線Ｂ−Ｂに沿った側面図である。また、図４は、薄型のテレビセットが握りバーの所定の高さ位置に取り付けられている様子を示す図である。
【００１５】
図１〜図３を参照すると、本実施形態のユニットバスは、浴槽１の長手方向に沿った一端すなわち短辺部（浴槽１の足元側の端部１ａ）に隣接して洗い場２が設けられた形態、いわゆる縦形式の形態を有する。本実施形態では、浴槽１の長手方向に沿って隣接する壁Ｗに、握りバー３がほぼ鉛直方向に沿って取り付けられている。また、特に図４において明瞭に示すように、薄型のテレビセット４が、握りバー３の所定の高さ位置に取り付けられている。
【００１６】
テレビセット４は、握りバー３の長手軸線廻りに回転可能に設けられている。すなわち、テレビセット４は、壁Ｗにほぼ平行に近接した不使用位置（図１に示す状態；後述の図５（ａ）において破線で示す状態）と、壁Ｗに対してほぼ垂直になった使用位置（後述の図５（ａ）において実線で示す状態）との間で切り換え可能に構成されている。
【００１７】
また、テレビセット４は、握りバー３の長手軸線とほぼ直交する軸線（図４において紙面にほぼ垂直な軸線）廻りに回転可能に設けられている。すなわち、テレビセット４は、その使用位置において、表示画面４ａを上向きに設定したり下向きに設定したりすることができるように構成されている。
【００１８】
さらに、テレビセット４を遠隔操作するためのリモコン４ｂが、たとえばマグネットを利用して、握りバー３の下端の近傍に着脱自在に取り付けられている。また、握りバー３には、その上端に照明部３ａが設けられ、照明部３ａよりも僅かに下方の高さ位置に物置カウンター３ｂが設けられている。
【００１９】
また、本実施形態では、浴室の洗い場２の壁Ｗに、全体的に矩形状の壁パネル部１３が取り付けられている。壁パネル部１３には、そのほぼ中央の高さ位置に、前方に向かって湯水を噴射するための複数（たとえば６つ）のシャワーノズル１４が設けられている。また、壁パネル部１３には、シャワーノズル１４よりも下方の高さ位置に、壁パネル部１３から前方へ突出するようにカウンター部１５が設けられている。
【００２０】
ここで、カウンター部１５は、シャワーノズル１４から前方に向かって噴射される湯水に対して壁パネル部１３にもたれ掛かった所望の姿勢を一時的に保持するのを助けるように構成されている。また、カウンター部１５の一方の側の先端部分にはシャワーノズル１４から噴射される湯水の温度を調節するための温度調節部１６が設けられ、他方の側の先端部分にはシャワーノズル１４から噴射される湯水の量を調節するための湯量調節部１７が設けられている。
【００２１】
また、壁パネル部１３にはシャワーノズル１４よりも上方の高さ位置にミラー１８が設けられ、このミラー１８は点検用の開口部（不図示）を覆うように壁パネル部１３に取り付けられている。さらに、壁パネル部１３の下端には、たとえばシャンプーなどを載置するための載置棚部材１９が着脱自在に取り付けられている。また、ミラー１８の高さ位置から浴室内に延びるシャワー配管２０ａ（図１では不図示）が、通常のシャワーヘッド２０ｂ（図１では不図示）に連結されている。
【００２２】
以上のように、本実施形態では、浴槽１の長手方向に沿って隣接する壁Ｗにほぼ鉛直方向に沿って取り付けられた握りバー３の所定の高さ位置に、薄型のテレビセット４が握りバー３の長手軸線廻りに回転可能に設けられている。したがって、壁Ｗに対する握りバー３の取付け位置（浴槽１の長手方向に沿った位置）および握りバー３に対するテレビセット４の取付け高さ位置を適宜選択することにより、浴槽１に浸かってリラックスした姿勢の人の眼から所望の距離だけ間隔を隔てた所望の高さ位置に所望サイズのテレビセット４を設置することができる。
【００２３】
また、薄型のテレビセット４が握りバー３の長手軸線廻りに回転可能に設けられているので、テレビ放送を見ないときには壁Ｗにほぼ平行に近接する不使用位置までテレビセット４を回転移動させて、テレビセット４が浴槽１における人の移動などを妨げないようにすることができる。こうして、本実施形態のユニットバスでは、浴室や浴槽１などの条件によってテレビセット４のサイズや取付け位置などが制限されることなく、テレビ放送を快適に楽しむことができる。
【００２４】
また、本実施形態では、テレビセット４が握りバー３の長手軸線とほぼ直交する軸線廻りに回転可能に設けられているので、浴槽１内における姿勢などの個人差に応じてテレビセット４の表示画面４ａを上向きや下向きに調整することができ、ひいてはテレビ放送をさらに快適に楽しむことができる。
【００２５】
また、本実施形態では、テレビセット４を遠隔操作するためのリモコン４ｂが握りバー３の下端の近傍に着脱自在に取り付けられているので、浴槽１に浸かった状態でリモコン４ｂを握りバー３から取り外したり握りバー３に戻したりすることが容易になり、ひいてはリモコン４ｂの所在が不明になるのを未然に防ぐことができる。
【００２６】
ところで、本実施形態のように浴槽１の短辺部（浴槽１の足元側の端部）１ａに隣接して洗い場２を設けている場合、図５に示すように握りバー３を浴槽１の足元側の端部１ａの近傍に配置する変形例も可能である。この場合、縦形式のユニットバスにおける浴槽１から洗い場２への移動および洗い場２から浴槽１への移動を、適切な位置に取り付けられた握りバー３に頼って容易に且つ安全に行うことができる。
【００２７】
なお、図５に示す変形例では、テレビセット４の裏面にミラー４ｃを設けることが好ましい。この場合、浴槽１側からは、テレビセット４の表示画面４ａを見て、テレビ放送を楽しむことができる。一方、洗い場２側からは、テレビセット４の裏面側のミラー４ｃを利用して、髭剃りなどを行うことができる。
【００２８】
また、本実施形態では、シャワーノズル１４よりも下方の高さ位置において壁パネル部１３から前方へ突出するカウンター部１５の作用により、シャワーノズル１４から噴射される湯水に対して壁パネル部１３にもたれ掛かった様々な所望の姿勢を一時的に保持することができ、ひいては様々な所望の姿勢で所望の部位にマッサージシャワーを浴びることができる。
【００２９】
また、本実施形態では、シャワーノズル１４から噴射される湯水の温度を調節するための温度調節部１６がカウンター部１５の一方の側に設けられ、シャワーノズル１４から噴射される湯水の量を調節するための湯量調節部１７がカウンター部１５の他方の側に設けられているので、壁パネル部１３にもたれ掛かってマッサージシャワーを浴びる姿勢を保ちつつ、湯水の温度調節および湯量調節を容易に行うことができる。
【００３０】
また、本実施形態では、シャワーノズル１４よりも上方の高さ位置において壁パネル部１３に点検用の開口部が設けられ、この開口部を覆うように壁パネル部１３にミラー１８が取り付けられているので、適切な高さ位置に設けられたミラー１８を取り外すだけで、点検用の開口部を介してシャワーノズル１４の配管などの保守・点検を容易に随時行うことができる。
【００３１】
なお、上述の実施形態では、浴槽の短辺部に隣接して洗い場が設けられた縦形式の形態を有するユニットバスに対して本発明を適用しているが、これに限定されることなく、様々な形態のユニットバスに対して本発明を適用することができる。
【図面の簡単な説明】
【００３２】
【図１】本発明の実施形態にかかるユニットバスの構成を概略的に示す上面図である。
【図２】図１の線Ａ−Ａに沿った側面図である。
【図３】図１の線Ｂ−Ｂに沿った側面図である。
【図４】薄型のテレビセットが握りバーの所定の高さ位置に取り付けられている様子を示す図である。
【図５】本実施形態の変形例にかかるユニットバスの構成を概略的に示す図である。
【符号の説明】
【００３３】
１  浴槽
２  洗い場
３  握りバー
４  テレビセット
４ａ  表示画面
４ｂ  リモコン
４ｃ  ミラー
１３  壁パネル部
１４  シャワーノズル
１５  カウンター部
１６  温度調節部
１７  湯量調節部
Ｗ  壁
【図１】
2006180957.tif 000003
【図２】
2006180957.tif 000004
【図３】
2006180957.tif 000005
【図４】
2006180957.tif 000006
【図５】
2006180957.tif 000007